(57)【特許請求の範囲】
【請求項１】
吊懸式移動パネルにおける本体の下端に螺合されたアジャスタボルトを昇降させて床面等に固定する装置であって、
前記本体の下端横枠部材に、前記アジャスタボルトを螺合させた取付け板を、昇降手段により昇降可能に装着したことを特徴とする吊懸式移動パネルの下端固定装置。
【請求項２】
前記昇降手段は、前記本体の下端横枠部材に対して下端に頭部を突出させた複数本の昇降ボルトを取付け板に対して脱落不能に支持させたことを特徴とする請求項１に記載の吊懸式移動パネルの下端固定装置。
【発明の詳細な説明】
【０００１】
【発明の属する技術分野】
本発明は、室内等の天井面に沿って配設した上レールに吊懸けて移動できるようにした正面視ほぼ矩形状の移動パネル下端を床面に対して固定する装置の構造に関するものである。
【０００２】
【従来の技術】
この種の移動パネルの下端固定装置装置として、実用新案登録第３００６２９０号の公報に開示されているように、移動パネルの本体の下端横梁自体に、アジャスタボルトを昇降可能に螺合させ、該アジャスタボルトの下端頭を床面に押しつけて移動パネルが不用意に移動したり、レールの幅方向に振れないようにしたものが公知である。
【０００３】
【発明が解決しようとする課題】
しかしながら、前記アジャスタボルトの軸が何らかの原因で曲がる等して新しいものと交換したい場合、移動パネルの上端と上レールとの吊懸ボルトを昇降可能に構成して、当該移動パネル全体を床面より大きく上昇させた状態で、下端のアジャスタボルトを下方向に抜き出すとか、移動パネルの下端を床面から離れるように無理やり傾けて、アジャスタボルトを外す必要があり、極めて困難な作業を強いられていた。
【０００４】
本発明は、前記アジャスタボルトの交換作業を容易にできるようにした移動パネルの下端固定装置を提供することを目的とするものである。
【０００５】
【課題を解決するための手段】
前記目的を達成するため、請求項１に記載の発明の吊懸式移動パネルの下端固定装置は、吊懸式移動パネルにおける本体の下端に螺合されたアジャスタボルトを昇降させて床面等に固定する装置であって、前記本体の下端横枠部材に、前記アジャスタボルトを螺合させた取付け板を、昇降手段により昇降可能に装着したものである。
【０００６】
また、請求項２に記載の発明は、請求項１に記載の吊懸式移動パネルの下端固定装置において、前記昇降手段は、前記本体の下端横枠部材に対して下端に頭部を突出させた複数本の昇降ボルトを取付け板に対して脱落不能に支持させたものである。
【０００７】
【発明の実施の形態】
次に本発明を具体化した実施形態について説明する。図１は吊懸式の移動パネルの構成部品の斜視図、図２は移動パネルの下端におけるアジャスタボルト及び昇降手段の側断面図、図３はアジャスタボルトの交換作業を示す説明図である。図１に示すように、移動パネル１は、断面ほぼ矩形中空状等の枠部材からなる本体２と、該本体２の表裏両面に張設する複数枚の表装板３，４等とからなり、本体２の上端横枠部材２ｂから固定アジャスタ１５及び遊動アジャスタ１６を介して突出する２本の吊支ボルト７、７の上端に設けられたランナ８におけるコロ６が下向きコ字型の天井レール１０内に吊懸支持されて、移動パネル１が天井レール１０に沿って移動可能に構成されている。
【０００８】
なお、図１に示すように、移動パネル１の本体２の縦方向に側部材２ｃには、隣接する移動パネルもしくは室の側壁に当接する化粧枠１１を設け、外向きに緩衝用のゴム等の弾性当接片１２を突設している。
次に、移動パネル１の下端に装着させたアジャスタボルト９の大径頭部９ｂによる床面１３に固定する装置について、図２〜図４に示す第１実施例を説明する。
【０００９】
移動パネルの本体２における断面中空略矩形の下端横枠部材２ａには、上向き開放状の凹所１７を、アジャスタボルト９の装着箇所毎に形成する。そして、前記下端横枠部材２ａにおける凹所１７内の底板１９には、アジャスタボルト９をそのボルト軸部９ａが斜め方向にした状態にして、床面１３との間で差し込み、抜き出しできるようにな長孔２０が穿設されており、前記凹所１７内の底板１９の上面には、前記アジャスタボルト９のボルト軸部９ａを螺合させるネジ孔２５ａが形成された取付け板２５を載置し、該取付け板２５を昇降手段としての複数本（実施例では４本）の昇降ボルト２６により下端横枠部材２ａの下端側から昇降操作できるよう取付けする。
【００１０】
即ち、各昇降ボルト２６のネジ軸部２６ａを前記凹所１７箇所の底板１９に穿設された遊び孔２８から上向きに貫通させて、前記取付け板２５の側部の連結ネジ孔２５ｂに螺合させ、各昇降ボルト２６の頭部２６ｂは底板１９の下面に突出させさてある。
図２は、アジャスタボルト９の下端の頭部９ｂを床面１３に押しつけて移動１の下端を固定した状態を示し、そのためには、予め複数本の昇降ボルト２６を回して、取付け板２５を下降させて、凹所１７内の底板１９の上面に当接固定させる。この状態にてアジャスタボルト９を下降させて、頭部９ｂを床面１３に押圧すればよい。このとき、頭部９ｂの下面に埋め込み、下端面を下に突出させた合成ゴム等の摩擦片３９の摩擦力にて、移動パネル１の不用意な振れや移動を防止できると共に、床面１３を金属製の頭部９ｂの圧接にて傷つけないようにすることができる。また、図４に示すように、アジャスタボルト９の頭部９ｂを工具や手で回し易いように、外周面に凹部９ｃまたは凸部を形成しておくことが好ましい。
【００１１】
図２から理解できるように、前記アジャスタボルト９で床面１３に固定させるには、アジャスタボルト９のボルト軸部９ａが取付け板２５に螺合しているように長く形成されていなければならない。そして、このアジャスタボルト９を交換するためには、図３に示すように、複数の昇降ボルト２６を回して取付け板２５を底板１９から離れるように、凹所１７内で上昇させる。取付け板２５を大きく上昇させてから、アジャスタボルト９を緩めて下降させ、取付け板２５からアジャスタボルト９から外れると、ボルト軸部９ａが長孔２０から抜け出すように斜めにして床面１３との間の隙間から除去し、新しいアジャスタボルト９を差し込めば良いのである。
【００１２】
図５及び図６は、第２実施例を示し、移動パネル１お本体２における下端横枠部材２ａは、断面上向きコ字状に形成されているので、第１実施例のような凹所１７をわざわざ設ける必要がなく、アジャスタボルト９を配置する箇所の、下端横枠部材２ａの底板１９に、前記実施例と同様の長孔２０と昇降ボルト２６を貫通させる孔とを穿設しておけば良い。その他の構成は第１実施例と同じであるので、同じ部品には同じ符号を付して、構成及び作用の説明は省略する。
【００１３】
なお、昇降手段としては、油圧もしくは空気圧によるシリンダにて前記取付け板２５を昇降させる構成であっても良いのである。
【００１４】
【発明の効果】
以上に詳述したように、請求項１に記載の発明の吊懸式移動パネルの下端固定装置は、吊懸式移動パネルにおける本体の下端に螺合されたアジャスタボルトを昇降させて床面等に固定する装置であって、前記本体の下端横枠部材に、前記アジャスタボルトを螺合させた取付け板を、昇降手段により昇降可能に装着したものであるから、前記昇降手段により取付け板を下降させて下端横枠部材に固定状態としてからアジャスタボルトを下降せて床面にアジャスタボルトの頭部を押圧して固定できる。
【００１５】
そして、アジャスタボルトの交換に際しては、昇降手段により取付け板ごとアジャスタボルトを吊り上げることにより、取付け板とアジャスタボルトとの螺合位置が高い位置になり、移動パネルにおける下端横枠部材と床面との隙間寸法がアジャスタボルトのボルト軸の長さより短くても、アジャスタボルトを取付け板から外し、前記隙間からアジャスタボルトを抜き出すことが、至極簡単にでき、従来のように、移動パネル全体を上昇させたり、傾ける必要がなく、アジャスタボルトの交換作業が容易になるという効果を奏する。
【００１６】
また、請求項２に記載の発明は、請求項１に記載の吊懸式移動パネルの下端固定装置において、前記昇降手段は、前記本体の下端横枠部材に対して下端に頭部を突出させた複数本の昇降ボルトを取付け板に対して脱落不能に支持させたものであるから、この昇降ボルトを緩めて取付け板を上昇させることができ、構成部品が至極簡単であるので製造コストも大幅に低減できるという効果を奏するのである。
【図面の簡単な説明】
【図１】移動パネルの主要部品の斜視図である。
【図２】アジャスタボルトの固定及び昇降手段の第１実施例の側断面図である。
【図３】アジャスタボルトの交換作業状態を示す側断面図である。
【図４】図３のIV−IV線矢視平面図である。
【図５】第２実施例の断面図である。
【図６】図５のVI−VI線矢視断面図である。
【符号の説明】
１      移動パネル
２      本体
２ａ    下端横枠部材
９      アジャスタボルト
９ａ    ボルト軸部
９ｂ    頭部
１３      床面
１７      凹所
１９      底板
２０      長孔
２５      取付け板
２６      昇降ボルト
２６ｂ    頭部
【図１】
0003863288.tif 000002
【図２】
0003863288.tif 000003
【図３】
0003863288.tif 000004
【図４】
0003863288.tif 000005
【図５】
0003863288.tif 000006
【図６】
0003863288.tif 000007